(57)【要約】      （修正有）【課題】高ズーム比、広画角で、広角端から望遠端における全ズーム範囲にわたり色収差を良好に補正し、全ズーム範囲において高い光学性能を有するズームレンズを提供する。【解決手段】物体側より像側へ順に、ズーミングのためには不動で正の屈折力の第１群Ｆ、ズーミングに際して移動する負の屈折力の第２群Ｖ、ズーミングに際して移動する負の屈折力の第３群Ｃ、ズーミングのためには不動の正の屈折力の第４群Ｒを有するズームレンズにおいて、第１群は物体側から像側へ順に、フォーカスに際して不動の負の屈折力の前方部分系１ａ、フォーカスのために移動する正の屈折力の移動部分系１ｂ、フォーカスに際して不動で正の屈折力の後方部分系１ｃで構成されており、移動部分系及び後方部分系の正レンズ、負レンズに関し所定の条件を満たす。【選択図】図１
2014016508.tif 000002
【特許請求の範囲】
【請求項１】
物体側より像側へ順に、ズーミングのためには不動で正の屈折力の第１群、ズーミングに際して移動する負の屈折力の第２群、ズーミングに際して移動する負の屈折力の第３群、ズーミングのためには不動の正の屈折力の第４群を有するズームレンズにおいて、前記第１群は物体側より像側へ順に、フォーカスに際して不動の負の屈折力の前方部分系、フォーカスのために移動する正の屈折力の移動部分系、フォーカスに際して不動で正の屈折力の後方部分系で構成されており、前記移動部分系または前記後方部分系は、ｄ線における屈折率、アッベ数をＮｄ、νｄとしたとき、下記条件式を満足する正レンズＬｐを少なくとも１枚以上有し、
１．６２ ＜ Ｎｄ ＜ １．８７
５２．０ ＜ νｄ ＜ ８２．０
２．３１ ＜ Ｎｄ＋０．０１×νｄ＜ ２．５８
前記条件式を満たす正レンズＬｐの合成焦点距離をｆｐ、前記移動部分系及び前記後方部分系を構成するレンズのうち、最もアッベ数が小さい負レンズの焦点距離をｆｎとしたとき、
０．６５ ＜ |ｆｐ／ｆｎ | ＜ １．１０
なる条件を満足することを特徴とするズームレンズ。
但し、ｆｐは前記条件式を満たす正レンズＬｐの焦点距離をそれぞれ、ｆｐ１、ｆｐ２、ｆｐ３、ｆｐ４、・・・としたとき、以下の式で表される焦点距離とする。
【数４】
2014016508.tif 000007
【請求項２】
前記条件式を満たす正レンズＬｐの合成焦点距離をｆｐ、前記第１群の焦点距離をｆ１としたとき、
４．２ ＜ ｆｐ／ｆ１ ＜ ５．４
なる条件を満足することを特徴とする請求項１に記載のズームレンズ。
【請求項３】
望遠端における全系の焦点距離をｆｔ、前記第１群の焦点距離をｆ１、無限遠時の前記移動部分系と前記後方部分系の焦点距離をｆｂｃとするとき、
２．３ ＜ ｆｔ／ｆ１ ＜ ２．５
１．５ ＜ ｆｔ／ｆｂｃ ＜ １．７
なる条件を満足することを特徴とする請求項１又は請求項２に記載のズームレンズ。
【請求項４】
前記条件式を満たす正レンズＬｐのアッベ数、部分分散比の平均値をνｐａ、θｐａ、前記第１群を構成する負レンズのうち、最もアッベ数が小さい負レンズのアッベ数、部分分散比をνｎ、θｎとしたとき、
−１．６５×１０-3 ＜（θｐａ−θｎ）／（νｐａ−νｎ） ＜ −１．４５×１０-3
２５ ＜ νｐａ−νｎ ＜ ６０
なる条件を満足することを特徴とする請求項１乃至請求項３の何れか１項に記載のズームレンズ。
【請求項５】
前記ズームレンズは、前記条件式を満たす正レンズＬｐを１枚有しており、前記正レンズＬｐの物体側の曲率半径をＲｐ１、像側の曲率半径をＲｐ２としたとき、
０．００５ ＜ |（１／Ｒｐ１）−（１／Ｒｐ２）| ＜ ０．０１５
なる条件を満足することを特徴とする請求項１乃至請求項４の何れか１項に記載のズームレンズ。
【請求項６】
広角端における全系の焦点距離をｆｗ、該ズームレンズによって形成した像を受光する固体撮像素子のイメージサイズの対角長をＩＳとするとき、
０．３４ ＜ ｆｗ／ＩＳ ＜ ０．４５
なる条件を満足することを特徴とする請求項１乃至請求項５の何れか１項に記載のズームレンズ。
【請求項７】
請求項１乃至請求項６の何れか１項に記載のズームレンズを有する撮像装置。
【発明の詳細な説明】
【技術分野】
【０００１】
本発明は、ズームレンズ及びそれを有する撮像装置に関し、放送用テレビカメラ、ビデオカメラ、デジタルスチルカメラ、銀塩写真用カメラ等に好適なものである。
【背景技術】
【０００２】
近年、テレビカメラ、銀塩フィルム用カメラ、デジタルカメラ、ビデオカメラ等の撮像装置には、高ズーム比、広画角でしかも高い光学性能を有したズームレンズが要望されている。高ズーム比、広画角のズームレンズとして、最も物体側に正の屈折力のレンズ群を配置し、全体として４つのレンズ群より成るポジティブリード型の４群ズームレンズが知られている。この４群ズームレンズは物体側から像側へ順に合焦用の第１レンズ群、変倍用の負の屈折力の第２レンズ群、変倍に伴う像面変動を補正するための負の屈折力の第３レンズ群、結像用の正の屈折力の第４レンズ群から構成されている。このタイプの４群ズームレンズにおいて、高ズーム比化及び広画角化を図った４群ズームレンズが提案されている（特許文献１〜２）。特許文献１〜４では、ズーム比１０〜１２倍程度、広角端の撮影画角８０°〜１００°程度のズームレンズが提案されている。
【先行技術文献】
【特許文献】
【０００３】
【特許文献１】特開平１１−０３０７４９号公報
【特許文献２】特開２０００−３２１４９６号公報
【発明の概要】
【発明が解決しようとする課題】
【０００４】
前述したポジティブリード型の４群ズームレンズは高ズーム比、広画角化が比較的容易である。しかしながらズーム比が１０倍程度の高ズーム比、そして撮影画角８０度以上の広画角になると、ズーミングの際の諸収差の変動が多くなり、全ズーム領域で高い光学性能を得るのが難しくなってくる。特に望遠側では倍率色収差及び軸上色収差が多く発生してくる。そのため色収差として一次の色消しのみならず、二次スペクトルの補正を良好に行うことが高画質な像性能を得るために重要になっている。この４群ズームレンズにおいて、ズーム比１０程度の高ズーム比化及び撮影画角８０度以上の広画角化を図りつつ、色収差を良好に補正し、高い光学性能を得るには第１レンズ群のレンズ構成を、適切に設定することが重要である。この第１レンズ群のレンズ構成が適切でないと、色収差、球面収差、コマ収差、球面収差の色差等の諸収差の変動が多くなり、高ズーム比、広画角で高性能化を図るのが困難となる。特にズーム比１０程度の高ズーム比化及び広角端の撮影画角１００度程度の広画角化を図ったとき、望遠側において軸上色収差が増大してくる。更に二次スペクトルの残存収差等が多くなり、これらを良好に補正するのが困難となる。
【０００５】
本発明は、高ズーム比及び広画角で、広角端から望遠端における全ズーム範囲にわたり色収差を良好に補正し、全ズーム範囲において高い光学性能を有するズームレンズ及びそれを有する撮像装置の提供を目的とする。
【課題を解決するための手段】
【０００６】
本発明のズームレンズは、物体側より像側へ順に、ズーミングのためには不動で正の屈折力の第１群、ズーミングに際して移動する負の屈折力の第２群、ズーミングに際して移動する負の屈折力の第３群、ズーミングのためには不動の正の屈折力の第４群を有するズームレンズにおいて、前記第１群は物体側より像側へ順に、フォーカスに際して不動の負の屈折力の前方部分系、フォーカスのために移動する正の屈折力の移動部分系、フォーカスに際して不動で正の屈折力の後方部分系で構成されており、前記移動部分系または前記後方部分系は、以下の条件を満たす正レンズＬｐを少なくとも１枚以上有し、
１．６２ ＜ ｎｄ ＜ １．８７
５２．０ ＜ νｄ ＜ ８２．０
２．３１ ＜ ｎｄ＋０．０１×νｄ＜ ２．５８
前記条件式を満たす正レンズＬｐの合成焦点距離をｆｐ、前記移動部分系及び前記後方部分系を構成するレンズのうち、最もアッベ数が小さい負レンズの焦点距離をｆｎとしたとき、
０．６５ ＜ |ｆｐ／ｆｎ | ＜ １．１０
なる条件を満足することを特徴している。ここで、Ｎｄ、νｄはｄ線における屈折率、アッベ数である。ｆｐは前記条件式を満たす正レンズＬｐの焦点距離をそれぞれ、ｆｐ１、ｆｐ２、ｆｐ３、ｆｐ４、・・・としたとき、以下の式で表される焦点距離とする。
【０００７】
【数１】
2014016508.tif 000003
【発明の効果】
【０００８】
本発明によれば、高ズーム比、広画角で、広角端から望遠端における全ズーム範囲にわたり色収差を良好に補正し、全ズーム範囲において高い光学性能を有するズームレンズが得られる。
【図面の簡単な説明】
【０００９】
【図１】数値実施例１の広角端におけるレンズ断面図
【図２】（Ａ）、（Ｂ）、（Ｃ）  数値実施例１における広角端、中間のズーム位置、望遠端における収差図
【図３】数値実施例２の広角端におけるレンズ断面図
【図４】（Ａ）、（Ｂ）、（Ｃ）  数値実施例２における広角端、中間のズーム位置、望遠端における収差図
【図５】数値実施例３の広角端におけるレンズ断面図
【図６】（Ａ）、（Ｂ）、（Ｃ）  数値実施例３における広角端、中間のズーム位置、望遠端における収差図
【図７】数値実施例４の広角端におけるレンズ断面図
【図８】（Ａ）、（Ｂ）、（Ｃ）  数値実施例４における広角端、中間のズーム位置、望遠端における収差図
【図９】数値実施例５の広角端におけるレンズ断面図
【図１０】（Ａ）、（Ｂ）、（Ｃ）  数値実施例５における広角端、中間のズーム位置、望遠端における収差図
【図１１】正の屈折力のレンズによる２色色消しと二次スペクトル残存に関する模式図
【図１２】光学材料のアッベ数νと部分分散比θの分布の模式図
【発明を実施するための形態】
【００１０】
以下に、本発明の実施の形態を添付の図面に基づいて詳細に説明する。本発明のズームレンズは、物体側より像側へ順に、次の各レンズ群を有している。ズーミングのためには不動で正の屈折力の第１群、ズーミングに際して移動する負の屈折力の第２群、ズーミングに際して移動する負の屈折力の第３群、ズーミングのためには不動の正の屈折力の第４群を有している。ここで第１群は物体側より像側へ順に、フォーカスに際して不動の負の屈折力の前方部分系、フォーカスのために移動する正の屈折力の移動部分系、フォーカスに際して不動で正の屈折力の後方部分系で構成されている。
【００１１】
図１は本発明の実施例１としての数値実施例１の広角端におけるレンズ断面図である。図２（Ａ）、（Ｂ）、（Ｃ）は順に、数値実施例１の広角端（ｆ＝４．５）、中間のズーム位置（ｆ＝１８．０ｍｍ）、望遠端（ｆ＝６３．０）における収差図である。ここでｆは焦点距離である。図３は本発明の実施例２としての数値実施例２の広角端におけるレンズ断面図である。図４（Ａ）、（Ｂ）、（Ｃ）は順に、数値実施例２の広角端（ｆ＝４．５）、中間のズーム位置（ｆ＝１８．０ｍｍ）、望遠端（ｆ＝６３．０）における収差図である。図５は本発明の実施例３としての数値実施例３の広角端におけるレンズ断面図である。図６（Ａ）、（Ｂ）、（Ｃ）は順に、数値実施例３の広角端（ｆ＝３．８５）、中間のズーム位置（ｆ＝１５．４ｍｍ）、望遠端（ｆ＝５７．７５）における収差図である。図７は本発明の実施例４としての数値実施例４の広角端におけるレンズ断面図である。図８（Ａ）、（Ｂ）、（Ｃ）は順に、数値実施例４の広角端（ｆ＝４．５）、中間のズーム位置（ｆ＝１８．０ｍｍ）、望遠端（ｆ＝６３．０）における収差図である。図９は本発明の実施例５としての数値実施例５の広角端におけるレンズ断面図である。図１０（Ａ）、（Ｂ）、（Ｃ）は順に、数値実施例５の広角端（ｆ＝４．５）、中間のズーム位置（ｆ＝１８．０ｍｍ）、望遠端（ｆ＝６３．０）における収差図である。
【００１２】
レンズ断面図において、Ｆは正の屈折力の前玉レンズ群（第１群）（第１レンズ群）である。１ａは、第１群Ｆ内の最も物体側に配置された、固定で負の屈折力の部分系（前方部分系）である。１ｂは、第１群Ｆ内の、合焦用の正の屈折力の部分系（移動部分系）である。１ｃは、第１群Ｆ内の、固定で正の屈折力の部分系（後方部分系）である。Ｖは変倍用の負の屈折力のバリエータ（第２群）（第２レンズ群）であり、光軸上を像面側へ単調に移動させることにより、広角端から望遠端への変倍（ズーミング）を行っている。Ｃは負の屈折力のコンペンセータ（第３群）（第３レンズ群）であり、変倍に伴う像面変動を補正するために光軸上を物体側へ非直線的に移動している。バリエータＶとコンペンセータＣとでズームレンズの変倍系を構成している。ＳＰは絞り（開口絞り）である。Ｒは結像作用を有する正の屈折力の固定のリレ−群（第４群）（第４レンズ群）である。Ｐは色分解プリズムや光学フィルタ等であり、同図ではガラスブロックとして示している。Ｉは撮像面であり、撮像素子が配置されている。
【００１３】
各実施例では、第１群Ｆを構成する部分系（移動部分系１ｂまたは後方部分系１ｃ）のレンズ構成や各レンズの材料の分散特性等の条件を適切に規定することにより、望遠側における軸上色収差の二次スペクトルを良好に補正している。各実施例において、移動部分系１ｂまたは後方部分系１ｃは、以下の条件を満たす正レンズＬｐを少なくとも１枚以上有する。
【００１４】
１．６２ ＜ ｎｄ ＜ １．８７    ・・・（１）
５２．０ ＜ νｄ ＜ ８２．０    ・・・（２）
２．３１ ＜ ｎｄ＋０．０１×νｄ＜ ２．５８    ・・・（３）
ここで、Ｎｄ、νｄはｄ線における屈折率、アッベ数である。
【００１５】
条件式（１）、（２）、（３）は、部分系１ｂ及び１ｃ内の正レンズの光学硝子の高屈折率低分散な特性を規定している。通常光学硝子は何種類もの金属酸化物を含有している。例えばSiO2、TiO2、La2O3、Al2O3、Nb2O5、ZrO2、Gd2O3等である。その中で例えばTiO2は屈折率を高め、アッベ数を小さくする効果があり、TiO2を多く含有する硝子は比較的高屈折率高分散となる。またGd2O3は屈折率を高めアッベ数を大きくする効果があり、Gd2O3を多く含有する硝子は比較的高屈折率低分散となることが知られている。元々のTiO2やGd2O3がそれぞれ高屈折高分散、高屈折率低分散であり、それらを含む硝子の特性が元々の金属酸化物の特性に近づくことになる。
【００１６】
このように光学硝子はその含有する成分の量によって特性が変わる性質があり、その成分の量を適切に設定することで所望の光学特性を持つ物が得られる。これは光学セラミックスにおいても同様で、例えば高屈折率低分散な物質を多く含む物は結果的に比較的高屈折率低分散となる。
【００１７】
高屈折率低分散な物質としては、前述のGd2O3やAl2O3、Lu3Al5O12がある。これらの物質とSiO2、TiO2、La2O3等の金属酸化物の分量を適切に設定し溶解又は焼結させることで、所望の光学特性（屈折率、アッベ数）を持つ光学硝子やセラミックス等の光学材料を得ることができる。
【００１８】
前記条件式を満たす正レンズＬｐの合成焦点距離をｆｐ、前記移動部分系及び前記後方部分系を構成するレンズのうち、最もアッベ数が小さい負レンズの焦点距離をｆｎとしたとき、
０．６５ ＜ |ｆｐ／ｆｎ | ＜ １．１０      ・・・（４）
なる条件を満足している。ここで、ｆｐは前記条件式を満たす正レンズＬｐの焦点距離をそれぞれ、ｆｐ１、ｆｐ２、ｆｐ３、ｆｐ４、・・・としたとき、以下の式で表される焦点距離とする。
【００１９】
【数２】
2014016508.tif 000004
条件式（４）は、部分系１ｂ及び１ｃを構成する前記正レンズＬｐと最もアッベ数が小さい負レンズの焦点距離の比の絶対値を規定することにより、望遠側における軸上色収差を良好に補正するための条件を規定している。
【００２０】
条件式（４）の下限を下回る、または上限を上回ると、望遠側における軸上色収差を良好に補正することが困難となってくる。
【００２１】
請求項２は、前記条件式を満たす正レンズＬｐと前記第１群の焦点距離の比を規定することにより、諸収差を良好に補正しつつ、望遠側における軸上色収差の二次スペクトルを良好に補正するための条件を規定している。前記条件式を満たす正レンズＬｐの合成焦点距離をｆｐ、前記第１群の焦点距離をｆ１としたとき、条件式（５）を満足する。
【００２２】
４．２ ＜ ｆｐ／ｆ１ ＜ ５．４    ・・・（５）
条件式（５）の下限を下回ると前記正レンズの屈折力が大きくなり、高次収差が発生して収差補正が困難となってくる。条件式（５）の上限を上回ると、前記正レンズの屈折力が小さくなり、第１群の二次スペクトルを補正することが困難となってくる。
【００２３】
請求項３は、望遠端における全系の焦点距離と各部分系の焦点距離の比を規定している。望遠端における全系の焦点距離をｆｔ、第１群Ｆの焦点距離をｆ１、無限遠時の移動部分系１ｂと後方部分系１ｃの焦点距離をｆｂｃとするとき、条件式（６）、（７）を満足する。
【００２４】
２．３ ＜ ｆｔ／ｆ１ ＜ ２．５      ・・・（６）
１．５ ＜ ｆｔ／ｆｂｃ ＜ １．７      ・・・（７）
条件式（６）は、望遠端における全系の焦点距離と第１群Ｆの焦点距離の比を規定することにより、高倍率化（高ズーム比化）を達成しながら軸上色収差の補正を容易にするためのものである。
【００２５】
条件式（６）の下限を下回ると、第１群の焦点距離が増大するため、高倍率化と全系の小型化が困難になってくる。条件式（６）の上限を上回ると、第１群により発生する二次スペクトルの望遠端における拡大率が増大し、高倍率化を達成しながら望遠端の軸上色収差を良好に補正することが困難となってくる。
【００２６】
条件式（７）は、望遠端の焦点距離と移動部分系１ｂ及び後方部分系１ｃの焦点距離の比を規定することにより、高倍率化（高ズーム比化）を達成しながら軸上色収差の補正を容易にするためのものである。
【００２７】
条件式（７）の下限を下回ると、部分系１ｂ及び１ｃの焦点距離が増大するため、高倍率化と全系の小型化が困難になってくる。条件式（７）の上限を上回ると、部分系１ｂ及び１ｃにより発生する二次スペクトルの望遠端における拡大率が増大し、高倍率化を達成しながら望遠端の軸上色収差を良好に補正することが困難となってくる。
【００２８】
請求項４は、第１群のレンズ材料の分散特性を規定することにより、望遠側における軸上色収差の二次スペクトルを良好に補正するための条件を規定している。
【００２９】
図７は正の屈折力のレンズ群Ｌ１における２色色消しと二次スペクトルの残存に関する模式図である。図８は現存する光学材料のアッベ数νと部分分散比θの分布の模式図である。ここでアッベ数νおよび部分分散比θは、ｇ線における屈折率をＮｇ、Ｆ線における屈折率をＮＦ、ｄ線における屈折率をＮｄ、Ｃ線における屈折率をＮＣとしたとき、
ν＝（Ｎｄ−１）／（ＮＦ−ＮＣ）      ‥‥‥（８）
θ＝（Ｎｇ−ＮＦ）／（ＮＦ−ＮＣ）    ‥‥‥（９）
である。図８に示すように、現存する光学材料はアッベ数νに対し部分分散比θが狭い範囲に分布しており、アッベ数νが小さいほど部分分散比θが大きい傾向を持っている。正の屈折力のレンズ群Ｌ１に所定の屈折力φがあり、レンズ群Ｌ１が２枚のレンズＧ１、Ｇ２で構成されているとする。この２枚のレンズＧ１、Ｇ２の屈折力をφ１、φ２、材料のアッベ数をν１、ν２とする。この２枚のレンズＧ１、Ｇ２で構成される薄肉系の色収差の補正条件は、
φ１／ν１＋φ２／ν２＝０      ‥‥‥（１０）
であらわされる。
【００３０】
ここで、
φ＝φ１＋φ２                  ‥‥‥（１１）
である。（１０）式を満たす場合、図７に示すようにＣ線−Ｆ線の光線の結像位置が合致する。この時の屈折力φ１、φ２は以下の式で表される。
【００３１】
φ１＝φ・ν１／（ν１−ν２）    ‥‥‥（１２）
φ２＝−φ・ν２／（ν１−ν２）  ‥‥‥（１３）
図７において、正の屈折力のレンズ群Ｌ１の色消しでは正レンズＧ１としてアッベ数ν１の大きな材料、負レンズＧ２としてアッベ数ν２の小さな材料を用いる。したがって図８より正レンズＧ１は部分分散比θ１が小さく、負レンズＧ２は部分分散比θ２が大きくなって、Ｆ線とＣ線で色収差を補正するとｇ線の結像点が像側にずれる。このずれ量を二次スペクトル量Δとして定義すると、
Δ＝−（１／φ）・（θ１−θ２）／（ν１−ν２）  ‥‥‥（１４）
であらわされる。
【００３２】
ここで第１群Ｆを構成する部分系１ａ、１ｂ、１ｃ、第２・第３・第４群Ｖ，Ｃ，Ｒの二次スペクトル量を順にΔ１ａ、Δ１ｂ、Δ１ｃ、Δ２、Δ３、Δ４とする。部分系１ｂ、１ｃ、第２・第３・第４群Ｖ，Ｃ，Ｒの結像倍率を順にβ１ｂ、β１ｃ、β２、β３、β４とする。
【００３３】
そうするとレンズ全系における二次スペクトル量Δは以下の式で表される。
【００３４】
Δ＝Δ１ａ・β１ｂ2・β１ｃ2・β２2・β３2・β４2
＋Δ１ｂ・（１−β１ｂ）・β１ｃ2・β２2・β３2・β４2
＋Δ１ｃ・（１−β１ｃ）・β２2・β３2・β４2
＋Δ２・（１−β２）・β３2・β４2
＋Δ３・（１−β３）・β４2
＋Δ４・（１−β４）                              ‥‥‥（１５）
二次スペクトル量Δは、望遠側で軸上マージナル光線が高い位置を通る部分系１ｂ及び１ｃで顕著に発生する。したがって、部分系１ｂ及び１ｃで発生する軸上色収差の二次スペクトル量Δ１ｂ、Δ１ｃを抑制することで望遠側において二次スペクトルΔを低減することが出来る。
【００３５】
前記条件式を満たす正レンズＬｐのアッベ数、部分分散比の平均値をνｐａ、θｐａ、前記部分系１ｂ及び１ｃを構成するレンズのうち、最もアッベ数が小さい負レンズのアッベ数、部分分散比をνｎ、θｎ としたとき、
−１．６５×１０-3 ＜（θｐａ−θｎ）／（νｐａ−νｎ）
＜ −１．４５×１０-3  ・・・（１６）                          
２５ ＜ νｐａ−νｎ ＜ ６０      ・・・（１７）
なる条件を満足する。
【００３６】
条件式（１６）の下限を下回ると、（１４）式より、第１群Ｆの二次スペクトルが増大してしまい、望遠側の軸上色収差を良好に補正することが困難となってくる。条件式（１６）の上限を上回ると、正レンズに用いる低分散かつ高部分分散比の光学硝子を製造することが困難となる。
【００３７】
条件式（１７）の下限を下回ると（１４）式より、第１群Ｆの二次スペクトルが増大してしまい、望遠側の軸上色収差を良好に補正することが困難となってくる。また、第１群における正レンズ・負レンズの屈折力が大きくなる。これにより、望遠側の諸収差、特に球面収差、コマ収差の補正が困難となってくる。条件式（１７）の上限を上回ると、正レンズに用いる低分散かつ高屈折率の光学硝子を製造することが困難となる。
【００３８】
請求項５は、部分系１ｂ及び１ｃの正レンズの形状を規定することにより、諸収差を良好に補正しつつ、望遠側における軸上色収差の二次スペクトルを良好に補正するための条件を規定している。前記条件式を満たす正レンズＬｐが１枚のとき、前記正レンズＬｐの物体側の曲率半径をＲｐ１、像側の曲率半径をＲｐ２としたとき、条件式（１８）を満足する。
【００３９】
０．００５ ＜ |（１／Ｒｐ１）−（１／Ｒｐ２）| ＜ ０．０１５    ・・・（１８）
条件式（１８）の下限を下回ると前記正レンズの屈折力が小さくなり、第１群の二次スペクトルを補正することが困難となってくる。条件式（１８）の上限を上回ると、前記正レンズの曲率半径が小さくなるため、高次収差が発生して収差補正が困難となってくる。
【００４０】
請求項６は、望遠側の色収差良好に補正し、小型のズームレンズを達成するための、適切な広角端の画角を規定している。前記ズームレンズの広角端における焦点距離をｆｗ、イメージサイズの対角長をISとしたとき、条件式（１９）を満足する。
【００４１】
０．３４ ＜ ｆｗ／ＩＳ ＜ ０．４５      ・・・（１９）
条件式（１９）の下限を下回ると、第１群Ｆの有効径が増大し小型化が困難となってくる。
【００４２】
請求項７、請求項１〜６のズームレンズを有する撮像装置であることを規定している。
【００４３】
次に、各実施例における第１群Ｆの一部を構成する部分系１ｂ及び１ｃのレンズ構成について説明する。図１の実施例１の部分系１ｂは物体側より数えて第９面（第９レンズ面）〜第１０面が対応する。部分系１ｂは１つの正レンズで構成されており、この正レンズは条件式（１）、（２）、（３）を満たしている。部分系１ｃは物体側より数えて第１１面（第１１レンズ面）〜第２０面が対応する。部分系１ｃは物体側より像側へ順に、正レンズと負レンズとを接合した第１接合レンズ、負レンズと正レンズとを接合した第２接合レンズ、正レンズ、正レンズで構成されている。部分系１ｃ内の物体側から数えて３番目の負レンズが、部分系１ｃ内で最もアッベ数が小さい材料より成る負レンズである。実施例１に係る数値実施例１は前述したいずれの条件式も満足している。実施例１はズーム比１４、広角端での撮影画角１００°以上の高倍率で、広画角を達成しながら全系を小型化し、望遠側において軸上色収差を良好に補正した高い光学性能のズームレンズを達成している。
【００４４】
図３の実施例２の部分系１ｂは物体側より数えて第９面（第９レンズ面）〜第１０面が対応する。部分系１ｂは１つの正レンズで構成されている。部分系１ｃは物体側より数えて第１１面（第１１レンズ面）〜第２０面が対応する。部分系１ｃは物体側より像側へ順に、正レンズと負レンズとを接合した第１接合レンズ、負レンズと正レンズとを接合した第２接合レンズ、正レンズ、正レンズで構成されている。部分系１ｃ内の物体側から数えて５番目の正レンズは条件式（１）、（２）、（３）を満足している。また、部分系１ｃ内の物体側から数えて３番目の負レンズが、部分系１ｃ内で最もアッベ数が小さい材料より成る負レンズである。実施例２に係る数値実施例２は前述したいずれの条件式も満足している。実施例２はズーム比１４、広角端での撮影画角１００°以上の高倍率で、広画角を達成しながら全系を小型化し、望遠側において軸上色収差を良好に補正した高い光学性能のズームレンズを達成している。
【００４５】
図５の実施例３の部分系１ｂは物体側より数えて第９面（第９レンズ面）〜第１０面が対応する。部分系１ｂは１つの正レンズで構成されており、この正レンズは条件式（１）、（２）、（３）を満たしている。部分系１ｃは物体側より数えて第１１面（第１１レンズ面）〜第１９面が対応する。部分系１ｃは物体側より像側へ順に、正レンズ、負レンズと正レンズとを接合した第２接合レンズ、正レンズ、正レンズで構成されている。部分系１ｃ内の物体側から数えて２番目の負レンズが、部分系１ｃ内で最もアッベ数が小さい材料より成る負レンズである。実施例３に係る数値実施例３は前述したいずれの条件式も満足している。実施例３はズーム比１５、広角端での撮影画角１１０°以上の高倍率で、広画角を達成しながら全系を小型化し、望遠側において軸上色収差を良好に補正した高い光学性能のズームレンズを達成している。
【００４６】
図７の実施例４の部分系１ｂは物体側より数えて第９面（第９レンズ面）〜第１０面が対応する。部分系１ｂは１つの正レンズで構成されている。部分系１ｃは物体側より数えて第１１面（第１１レンズ面）〜第２０面が対応する。部分系１ｃは物体側より像側へ順に、正レンズと負レンズとを接合した第１接合レンズ、負レンズと正レンズとを接合した第２接合レンズ、正レンズ、正レンズで構成されている。部分系１ｃ内の物体側から数えて６番目の正レンズは条件式（１）、（２）、（３）を満足している。また、部分系１ｃ内の物体側から数えて３番目の負レンズが、部分系１ｃ内で最もアッベ数が小さい材料より成る負レンズである。実施例４に係る数値実施例４は前述したいずれの条件式も満足している。実施例４はズーム比１４、広角端での撮影画角１００°以上の高倍率で、広画角を達成しながら全系を小型化し、望遠側において軸上色収差を良好に補正した高い光学性能のズームレンズを達成している。
【００４７】
図９の実施例５の部分系１ｂは物体側より数えて第９面（第９レンズ面）〜第１０面が対応する。部分系１ｂは１つの正レンズで構成されている。部分系１ｃは物体側より数えて第１１面（第１１レンズ面）〜第２０面が対応する。部分系１ｃは物体側より像側へ順に、正レンズと負レンズとを接合した第１接合レンズ、負レンズと正レンズとを接合した第２接合レンズ、正レンズ、正レンズで構成されている。部分系１ｃ内の物体側から数えて６番目の正レンズは条件式（１）、（２）、（３）を満足している。また、部分系１ｃ内の物体側から数えて３番目の負レンズが、部分系１ｃ内で最もアッベ数が小さい材料より成る負レンズである。実施例５に係る数値実施例５は前述したいずれの条件式も満足している。実施例５はズーム比１４、広角端での撮影画角１００°以上の高倍率で、広画角を達成しながら全系を小型化し、望遠側において軸上色収差を良好に補正した高い光学性能のズームレンズを達成している。
【００４８】
以下に本発明の実施例１〜５に対応する数値実施例１〜５を示す。各数値実施例において、ｉは物体側からの面の順序を示し、ｒｉは物体側より第ｉ番目の面の曲率半径、ｄｉは物体側より第ｉ番目と第ｉ＋１番目の間隔、ｎｄｉ、νｄｉは第ｉ番目の光学部材の屈折率とアッベ数である。焦点距離、Ｆナンバー、画角はそれぞれ無限遠物体に焦点を合わせたときの値を表している。ＢＦは最終レンズ面から像面までの距離を空気換算した値である。最後の３つの面は、フィルタ等のガラスブロックである。Ａ３乃至Ａ１２は非球面係数である。非球面係数は光軸からの高さＨの位置での光軸方向の変位を面頂点を基準にしてｘとするとき
【００４９】
【数３】
2014016508.tif 000005
で表される。但しＲは近軸曲率半径、Ｋは円錐定数である。又、「ｅ−０Ｘ」は「×１０-x」を意味している。又、前述の各条件式と数値実施例との関係を表１に示す。
〈数値実施例１〉
面番号      r         d        nd        vd       θgF     有効径   焦点距離
1      497.51526   2.50000  1.772499   49.60    0.5521     83.166    -44.078
2       31.94180  15.51257  1.000000    0.00    0.0000     58.136      0.000
3      104.84457   1.85000  1.772499   49.60    0.5521     57.707   -185.160
4       60.15410  12.00704  1.000000    0.00    0.0000     55.303      0.000
5     -105.67563   1.75000  1.772499   49.60    0.5521     55.034    -86.258
6      184.05072   0.15000  1.000000    0.00    0.0000     56.114      0.000
7       86.58976   5.94276  1.805181   25.42    0.6161     57.634    126.057
8      542.44166   2.72147  1.000000    0.00    0.0000     57.542      0.000
9    -3238.83042   7.01780  1.750000   80.00    0.5350     57.527    116.577    （正レンズLｐ）
10      -85.46128   7.29510  1.000000    0.00    0.0000     57.535      0.000
11     1894.77187   8.79812  1.438750   94.93    0.5343     55.144    152.893
12      -69.62646   1.65000  1.654115   39.70    0.5737     55.140   -215.922
13     -137.81841   0.15000  1.000000    0.00    0.0000     56.654      0.000
14      117.74021   1.65000  1.846660   23.78    0.6205     59.604   -172.019
15       64.97067  11.74292  1.438750   94.93    0.5343     59.586    122.100
16     -292.66322   0.18000  1.000000    0.00    0.0000     60.494      0.000
17      218.60357  12.10777  1.496999   81.54    0.5374     61.890    109.288
18      -71.21921   0.18000  1.000000    0.00    0.0000     62.261      0.000
19       95.55504   8.34019  1.592400   68.30    0.5456     58.762    115.939
20     -239.22039    (可変)  1.000000    0.00    0.0000     57.940      0.000
21       33.75245   0.75000  1.882997   40.76    0.5667     21.273    -25.618
22       13.44870   3.58988  1.000000    0.00    0.0000     18.231      0.000
23      141.52580   0.75000  1.834000   37.16    0.5775     18.012    -50.718
24       32.64657   3.15898  1.000000    0.00    0.0000     17.321      0.000
25      -36.35497   5.27314  1.784723   25.68    0.6161     17.008     17.736
26      -10.78091   0.80000  1.882997   40.76    0.5667     17.092    -13.280
27     -129.82503   0.13706  1.000000    0.00    0.0000     17.858      0.000
28       42.13966   2.69755  1.592701   35.31    0.5933     18.124     47.124
29      -82.47522    (可変)  1.000000    0.00    0.0000     18.063      0.000
30      -26.76568   0.75000  1.740999   52.64    0.5467     18.196    -23.664
31       52.13249   2.25001  1.808095   22.76    0.6307     19.603     49.885
32     -182.56732    (可変)  1.000000    0.00    0.0000     20.016      0.000
33        0.00000   1.40000  1.000000    0.00    0.0000     27.350      0.000
34      542.88958   3.08868  1.720000   43.69    0.5699     28.371     75.555
35      -60.67748   0.15000  1.000000    0.00    0.0000     28.767      0.000
36       73.99391   3.90770  1.639999   60.08    0.5370     29.544     65.848
37      -96.76937   0.22000  1.000000    0.00    0.0000     29.516      0.000
38       55.91255   6.24462  1.516330   64.14    0.5352     28.749     46.913
39      -41.37922   1.00000  1.882997   40.76    0.5667     28.108    -33.537
40      107.51631  34.00000  1.000000    0.00    0.0000     27.591      0.000
41       71.70949   5.19718  1.567322   42.80    0.5730     27.760     51.159
42      -47.91739   0.30000  1.000000    0.00    0.0000     27.505      0.000
43     -696.89119   1.00000  1.882997   40.76    0.5667     26.165    -23.663
44       21.68388   6.16444  1.516330   64.14    0.5352     24.697     36.921
45     -146.96232   0.20000  1.000000    0.00    0.0000     24.621      0.000
46       34.21408   7.74204  1.516330   64.14    0.5352     24.726     28.048
47      -23.32121   1.00000  1.882997   40.76    0.5667     24.341    -20.363
48       82.17483   0.87964  1.000000    0.00    0.0000     24.820      0.000
49       45.55541   6.21162  1.516330   64.14    0.5352     25.635     37.436
50      -32.22038   4.00000  1.000000    0.00    0.0000     25.777      0.000
51        0.00000  33.00000  1.608590   46.44    0.5664     40.000      0.000
52        0.00000  13.20000  1.516800   64.17    0.5347     40.000      0.000
53        0.00000   0.00000  1.000000    0.00    0.0000     40.000      0.000
非球面データ
第1面
K = 1.22038e+002  A 4= 2.58630e-006  A 6=-2.80002e-010 
A 8=-2.11289e-013  A10=-1.00023e-016  A12= 1.79378e-020 
A 3=-2.58900e-006  A 5=-3.08387e-008  A 7= 7.18608e-012 
A 9= 1.07723e-014  A11=-2.25450e-018
第10面
K = 1.37664e+000  A 4= 8.53450e-007  A 6=-4.35858e-010 
A 8=-4.24489e-013  A10= 1.04340e-015  A12=-2.83036e-019 
A 3= 1.23980e-006  A 5= 1.80870e-008  A 7=-2.94536e-012 
A 9=-1.33069e-014  A11=-3.25158e-018
第13面
K =-5.97136e+000  A 4= 3.75873e-007  A 6= 2.76794e-010 
A 8= 3.98697e-013  A10=-2.75649e-016  A12= 3.09486e-019 
A 3=-7.20476e-007  A 5=-5.82911e-009  A 7= 9.35836e-012 
A 9=-5.20786e-015  A11=-6.11144e-018
各種データ
ズーム比     14.00
広角     中間     望遠
焦点距離       4.50    18.00    63.00 
Fナンバー      1.90     1.90     2.80
画角          50.71    16.99     4.99 
像高           5.50     5.50     5.50 
レンズ全長   312.47   312.47   312.47 
BF             7.90     7.90     7.90 
d20            0.46    32.39    44.53 
d29           41.80     6.86     8.39 
d32           11.70    14.71     1.05 
d53            7.90     7.90     7.90 
入射瞳位置    31.68    54.49   103.91 
射出瞳位置   451.79   451.79   451.79 
前側主点位置  36.23    73.22   175.85 
後側主点位置   3.40   -10.10   -55.10 
ズームレンズ群データ
群  始面    焦点距離  レンズ構成長  前側主点位置  後側主点位置
1    1      27.10       101.55        43.76         36.53
2   21     -17.40        17.16         0.51        -13.60
3   30     -46.00         3.00        -0.37         -2.05
4   33      58.07       128.91        64.65       -118.38
〈数値実施例２〉
面番号      r         d        nd        vd       θgF     有効径   焦点距離
1      486.69927   2.50000  1.772500   49.50    0.5519     80.594    -43.892
2       31.76873  15.35847  1.000000    0.00    0.0000     56.947      0.000
3      127.69547   1.80000  1.772500   49.50    0.5519     56.497   -144.287
4       59.29847  11.88400  1.000000    0.00    0.0000     53.939      0.000
5     -119.70491   1.70000  1.772500   49.50    0.5519     53.658    -95.350
6      195.09458   0.15000  1.000000    0.00    0.0000     54.547      0.000
7       87.03229   6.62365  1.805150   25.50    0.6156     55.898    138.051
8      374.99156   2.91862  1.000000    0.00    0.0000     55.719      0.000
9     3584.14412   7.44120  1.603112   60.64    0.5414     55.747    122.142
10      -75.45381   4.47002  1.000000    0.00    0.0000     55.755      0.000
11      817.88434   8.34918  1.438750   94.93    0.5343     55.314    135.631
12      -64.15094   1.60000  1.654115   39.70    0.5737     55.792   -156.675
13     -171.50235   0.15000  1.000000    0.00    0.0000     58.173      0.000
14      113.56643   1.60000  2.003300   28.27    0.5980     61.720   -150.775
15       64.63781  13.63702  1.438750   94.93    0.5343     61.564    104.758
16     -150.13381   0.15000  1.000000    0.00    0.0000     62.627      0.000
17      214.51502  13.46986  1.496999   81.54    0.5374     65.097    101.540
18      -64.85888   0.15000  1.000000    0.00    0.0000     65.452      0.000
19       83.31397   7.44452  1.750000   80.00    0.5150     60.325    123.671  （正レンズLｐ）
20      767.08720    (可変)  1.000000    0.00    0.0000     59.077      0.000
21       25.93891   0.75000  1.882997   40.76    0.5667     21.193    -30.701
22       13.11239   3.81656  1.000000    0.00    0.0000     18.332      0.000
23      148.85082   0.75000  1.834000   37.16    0.5775     18.044    -37.715
24       26.04377   3.56751  1.000000    0.00    0.0000     17.124      0.000
25      -32.74907   5.19480  1.784723   25.68    0.6161     16.815     17.675
26      -10.49355   0.80000  1.882997   40.76    0.5667     16.955    -14.022
27      -69.07264   0.13706  1.000000    0.00    0.0000     17.845      0.000
28       40.48532   2.58699  1.592701   35.31    0.5933     18.089     55.172
29     -171.95239    (可変)  1.000000    0.00    0.0000     18.199      0.000
30      -26.12862   0.75000  1.740999   52.64    0.5467     18.603    -23.661
31       54.69333   2.23721  1.808095   22.76    0.6307     20.125     49.974
32     -157.66414    (可変)  1.000000    0.00    0.0000     20.525      0.000
33        0.00000   1.40000  1.000000    0.00    0.0000     28.075      0.000
34     -984.08568   2.91652  1.720000   43.69    0.5699     28.929     87.549
35      -59.61712   0.15000  1.000000    0.00    0.0000     29.383      0.000
36       75.08487   4.47984  1.639999   60.08    0.5370     30.425     61.451
37      -81.33519   0.22000  1.000000    0.00    0.0000     30.443      0.000
38       59.39834   6.47760  1.516330   64.14    0.5352     29.636     48.047
39      -41.27722   1.00000  1.882997   40.76    0.5667     28.996    -35.679
40      137.95346  34.00000  1.000000    0.00    0.0000     28.540      0.000
41       76.66524   5.07860  1.567322   42.80    0.5730     28.109     54.556
42      -51.13015   0.30000  1.000000    0.00    0.0000     27.845      0.000
43    -3608.91675   1.00000  1.882997   40.76    0.5667     26.538    -23.592
44       21.07819   6.52005  1.516330   64.14    0.5352     24.997     36.453
45     -162.91776   0.20000  1.000000    0.00    0.0000     24.938      0.000
46       32.85171   8.41908  1.516330   64.14    0.5352     24.946     28.875
47      -25.07959   1.00000  1.882997   40.76    0.5667     24.408    -20.745
48       70.74062   0.87964  1.000000    0.00    0.0000     24.764      0.000
49       44.25353   6.89878  1.516330   64.14    0.5352     25.539     37.268
50      -32.44773   4.00000  1.000000    0.00    0.0000     25.733      0.000
51        0.00000  33.00000  1.608590   46.44    0.5664     40.000      0.000
52        0.00000  13.20000  1.516800   64.17    0.5347     40.000      0.000
53        0.00000   0.00000  1.000000    0.00    0.0000     40.000      0.000
非球面データ
第1面
K = 1.22038e+002  A 4= 2.71139e-006  A 6=-3.21073e-010 
A 8=-2.42200e-013  A10=-1.29881e-016  A12= 2.48719e-020 
A 3=-3.70412e-006  A 5=-3.51925e-008  A 7= 9.35258e-012 
A 9= 1.25667e-014  A11=-2.70198e-018
第10面
K = 1.11794e+000  A 4= 8.23291e-007  A 6=-5.57010e-010 
A 8=-3.56973e-013  A10= 9.36783e-016  A12=-4.92974e-019 
A 3= 2.41876e-006  A 5= 2.75846e-008  A 7=-5.23686e-012 
A 9=-4.55448e-015  A11= 1.30489e-018
第13面
K =-5.37266e+000  A 4= 4.51388e-007  A 6= 2.43285e-010 
A 8= 4.02849e-013  A10=-3.18424e-016  A12= 3.68077e-019 
A 3=-2.13667e-006  A 5=-1.30403e-008  A 7= 1.31507e-011 
A 9=-8.27710e-015  A11=-7.64266e-018
各種データ
ズーム比     14.00
広角     中間     望遠
焦点距離       4.50     18.00    63.00
Fナンバー      1.90     1.90     2.80
画角          50.71    16.99     4.99 
像高           5.50     5.50     5.50 
レンズ全長   316.25   316.25   316.25 
BF             7.88     7.88     7.88 
d20            1.69    33.62    45.76 
d29           41.86     6.91     8.45 
d32           11.70    14.71     1.05 
d53            7.88     7.88     7.88 
入射瞳位置    30.94    52.77   100.12 
射出瞳位置   529.04   529.04   529.04 
前側主点位置  35.47    71.39   170.74 
後側主点位置   3.38   -10.12  -55.12
ズームレンズ群データ
群  始面    焦点距離  レンズ構成長  前側主点位置  後側主点位置
1    1      26.51       101.40        43.07         38.87
2   21     -17.40        17.60         1.03        -13.59
3   30     -46.00         2.99        -0.42         -2.10
4   33      58.44       131.14        64.22       -120.76
〈数値実施例３〉
面番号      r         d        nd        vd       θgF     有効径   焦点距離
1      148.91537   2.25000  1.882997   40.76    0.5667     86.568    -45.672
2       31.65332  17.56908  1.000000    0.00    0.0000     59.862      0.000
3       99.70476   1.80000  1.772500   49.50    0.5519     59.234   -139.991
4       51.58533  14.75201  1.000000    0.00    0.0000     55.190      0.000
5      -80.09827   1.70000  1.772500   49.50    0.5519     54.364    -63.981
6      131.90926   0.13500  1.000000    0.00    0.0000     55.256      0.000
7       84.77191   4.33748  1.805150   25.50    0.6156     56.336    190.072
8      183.59292   3.02406  1.000000    0.00    0.0000     56.260      0.000
9      363.59263   5.90574  1.768230   72.21    0.5289     56.996    112.498  （正レンズLｐ）
10     -113.06060   3.28871  1.000000    0.00    0.0000     57.658      0.000
11      115.49396  10.68519  1.438750   94.93    0.5343     61.918    108.279
12      -78.75951   0.13500  1.000000    0.00    0.0000     62.067      0.000
13      100.44265   1.70000  1.903660   31.32    0.5947     62.743   -125.456
14       53.01472  15.27855  1.438750   94.93    0.5343     61.156     88.337
15     -132.67056   0.16200  1.000000    0.00    0.0000     61.398      0.000
16      808.50621  11.01810  1.438750   94.93    0.5343     61.261    126.006
17      -59.25566   0.16200  1.000000    0.00    0.0000     61.174      0.000
18       86.44040   6.13100  1.592400   68.30    0.5456     53.829    145.679
19    45510.58153    (可変)  1.000000    0.00    0.0000     52.861      0.000
20       45.36909   0.90000  1.882997   40.76    0.5667     21.139    -22.589
21       13.78121   3.67505  1.000000    0.00    0.0000     17.798      0.000
22     -378.57661   0.90000  1.834000   37.16    0.5775     17.564    -33.885
23       30.78438   2.96817  1.000000    0.00    0.0000     16.779      0.000
24      -40.84075   5.17589  1.784723   25.68    0.6161     16.593     17.063
25      -10.72173   0.90000  1.882997   40.76    0.5667     16.745    -14.446
26      -67.82690   0.12819  1.000000    0.00    0.0000     17.575      0.000
27       42.59070   2.59556  1.592701   35.31    0.5933     17.785     49.709
28      -95.46783    (可変)  1.000000    0.00    0.0000     17.685      0.000
29      -23.79418   0.80000  1.740999   52.64    0.5467     17.179    -22.007
30       53.33376   2.15400  1.808095   22.76    0.6307     18.642     50.246
31     -174.48694    (可変)  1.000000    0.00    0.0000     19.091      0.000
32        0.00000   1.40000  1.000000    0.00    0.0000     27.364      0.000
33      293.86684   3.58147  1.723420   37.95    0.5836     28.572     61.513
34      -52.55563   0.15000  1.000000    0.00    0.0000     28.979      0.000
35       65.36808   4.54590  1.639999   60.08    0.5370     29.659     57.582
36      -82.93251   0.22000  1.000000    0.00    0.0000     29.542      0.000
37       58.43301   6.71277  1.516330   64.14    0.5352     28.323     45.237
38      -37.61717   1.00000  1.882997   40.76    0.5667     27.327    -28.981
39       82.53645  34.00000  1.000000    0.00    0.0000     26.566      0.000
40       55.00735   5.28148  1.567322   42.80    0.5730     25.859     48.544
41      -53.82444   0.30000  1.000000    0.00    0.0000     25.444      0.000
42      646.79496   1.00000  1.882997   40.76    0.5667     24.249    -17.767
43       15.39277   6.82449  1.516330   64.14    0.5352     22.346     28.424
44     -290.61550   0.20000  1.000000    0.00    0.0000     22.471      0.000
45       33.03918   7.39567  1.516330   64.14    0.5352     22.628     27.483
46      -23.12283   1.00000  1.882997   40.76    0.5667     22.101    -20.019
47       78.51583   0.87964  1.000000    0.00    0.0000     22.352      0.000
48       39.89524   6.51023  1.487490   70.23    0.5300     23.007     31.381
49      -23.61178   4.00000  1.000000    0.00    0.0000     23.078      0.000
50        0.00000  33.00000  1.608590   46.44    0.5664     40.000      0.000
51        0.00000  13.20000  1.516800   64.17    0.5347     40.000      0.000
52        0.00000   0.00000  1.000000    0.00    0.0000     40.000      0.000
非球面データ
第1面
K = 5.31002e+000  A 4= 3.43635e-006  A 6=-2.83495e-010 
A 8=-3.90687e-013  A10=-9.82135e-018
A 3=-2.93410e-005  A 5=-3.55248e-008  A 7= 1.32522e-011  A 9= 5.61324e-015
第10面
K = 3.32064e-001  A 4= 9.31967e-007  A 6=-1.29779e-009 
A 8= 2.88396e-013  A10= 2.68386e-015  A12=-2.70084e-019 
A 3=-5.64543e-006  A 5= 4.42860e-008  A 7= 6.26984e-012 
A 9=-5.80017e-014  A11=-2.59121e-017
第12面
K =-8.76057e-002  A 4= 9.27215e-007  A 6=-3.66995e-010 
A 8= 1.08059e-012  A10=-9.45351e-016  A12= 5.83524e-019 
A 3= 4.02629e-006  A 5=-3.37085e-009  A 7= 2.17531e-011 
A 9=-1.68665e-015  A11=-1.29685e-017
各種データ
ズーム比     15.00
広角     中間     望遠
焦点距離       3.85    15.40    57.75 
Fナンバー      1.89     1.90     2.90
画角          55.01    19.65     5.44 
像高           5.50     5.50     5.50 
レンズ全長   310.69   310.69   310.69 
BF             6.50     6.50     6.50 
d19            0.46    31.10    43.14 
d28           40.60     7.32     6.91 
d31           11.70    14.34     2.70 
d52            6.50     6.50     6.50 
入射瞳位置    30.53    50.24    99.08 
射出瞳位置   210.78   210.78   210.78 
前側主点位置  34.46    66.80   173.15 
後側主点位置   2.65    -8.90   -51.25 
ズームレンズ群データ
群  始面    焦点距離  レンズ構成長  前側主点位置  後側主点位置
1    1      24.39       100.03        42.25         35.99
2   20     -16.27        17.24        -0.03        -14.76
3   29     -40.00         2.95        -0.33         -1.99
4   32      71.44       131.20        88.85       -153.72
〈数値実施例４〉
面番号      r         d        nd        vd       θgF     有効径   焦点距離
1      486.69927   2.50000  1.772500   49.50    0.5519     80.626    -44.024
2       31.85828  14.81365  1.000000    0.00    0.0000     57.028      0.000
3      113.40874   1.80000  1.772500   49.50    0.5519     56.618   -151.874
4       57.40112  12.12383  1.000000    0.00    0.0000     53.985      0.000
5     -111.99064   1.70000  1.772500   49.50    0.5519     53.674    -92.231
6      199.76585   0.15000  1.000000    0.00    0.0000     54.586      0.000
7       86.57815   6.64552  1.805150   25.50    0.6156     55.957    136.957
8      376.47380   2.81880  1.000000    0.00    0.0000     55.763      0.000
9     1627.26273   7.78147  1.603112   60.64    0.5414     55.773    116.562
10      -73.64299   4.41810  1.000000    0.00    0.0000     55.749      0.000
11      530.47708   9.19028  1.438750   94.93    0.5343     54.836    122.005
12      -59.38842   1.60000  1.654115   39.70    0.5737     55.313   -146.436
13     -156.44448   0.15000  1.000000    0.00    0.0000     57.682      0.000
14      117.79715   1.60000  2.003300   28.27    0.5980     60.836   -140.056
15       63.88296  13.09659  1.438750   94.93    0.5343     60.632    105.598
16     -159.52796   0.15000  1.000000    0.00    0.0000     61.615      0.000
17      192.36331  13.80415  1.496999   81.54    0.5374     63.986     99.819
18      -65.51274   0.15000  1.000000    0.00    0.0000     64.388      0.000
19       75.89108   7.56075  1.650000   70.00    0.5349     59.190    123.599  （正レンズLｐ）
20     1244.70058    (可変)  1.000000    0.00    0.0000     58.162      0.000
21       25.34764   0.75000  1.882997   40.76    0.5667     21.140    -30.611
22       12.93496   3.97304  1.000000    0.00    0.0000     18.264      0.000
23      201.72817   0.75000  1.834000   37.16    0.5775     17.943    -36.220
24       26.37404   3.41922  1.000000    0.00    0.0000     17.039      0.000
25      -34.66815   5.23860  1.784723   25.68    0.6161     16.765     17.352
26      -10.49788   0.80000  1.882997   40.76    0.5667     16.901    -13.750
27      -77.47814   0.13706  1.000000    0.00    0.0000     17.778      0.000
28       40.43575   2.54360  1.592701   35.31    0.5933     18.043     52.118
29     -131.48319    (可変)  1.000000    0.00    0.0000     18.198      0.000
30      -26.07367   0.75000  1.740999   52.64    0.5467     18.602    -23.719
31       55.35486   2.24166  1.808095   22.76    0.6307     20.123     50.242
32     -155.51118    (可変)  1.000000    0.00    0.0000     20.529      0.000
33        0.00000   1.40000  1.000000    0.00    0.0000     28.089      0.000
34     -984.08568   2.91652  1.720000   43.69    0.5699     28.943     87.549
35      -59.61712   0.15000  1.000000    0.00    0.0000     29.396      0.000
36       75.08487   4.47984  1.639999   60.08    0.5370     30.439     61.451
37      -81.33519   0.22000  1.000000    0.00    0.0000     30.457      0.000
38       59.39834   6.47760  1.516330   64.14    0.5352     29.649     48.047
39      -41.27722   1.00000  1.882997   40.76    0.5667     29.009    -35.679
40      137.95346  34.00000  1.000000    0.00    0.0000     28.553      0.000
41       76.66524   5.07860  1.567322   42.80    0.5730     28.118     54.556
42      -51.13015   0.30000  1.000000    0.00    0.0000     27.854      0.000
43    -3608.91675   1.00000  1.882997   40.76    0.5667     26.546    -23.592
44       21.07819   6.52005  1.516330   64.14    0.5352     25.003     36.453
45     -162.91776   0.20000  1.000000    0.00    0.0000     24.943      0.000
46       32.85171   8.41908  1.516330   64.14    0.5352     24.930     28.875
47      -25.07959   1.00000  1.882997   40.76    0.5667     24.391    -20.745
48       70.74062   0.87964  1.000000    0.00    0.0000     24.745      0.000
49       44.25353   6.89878  1.516330   64.14    0.5352     25.519     37.273
50      -32.45644   4.00000  1.000000    0.00    0.0000     25.713      0.000
51        0.00000  33.00000  1.608590   46.44    0.5664     40.000      0.000
52        0.00000  13.20000  1.516800   64.17    0.5347     40.000      0.000
53        0.00000   0.00000  1.000000    0.00    0.0000     40.000      0.000
非球面データ
第1面
K = 1.22038e+002  A 4= 2.71139e-006  A 6=-3.21073e-010 
A 8=-2.42200e-013  A10=-1.29881e-016  A12= 2.48719e-020 
A 3=-3.70412e-006  A 5=-3.51925e-008  A 7= 9.35258e-012 
A 9= 1.25667e-014  A11=-2.70198e-018
第10面
K = 1.22792e+000  A 4= 8.00594e-007  A 6=-4.17056e-010 
A 8=-4.40752e-013  A10= 9.02849e-016  A12=-4.90525e-019 
A 3= 2.41630e-006  A 5= 2.89860e-008  A 7=-5.00801e-012 
A 9=-5.45636e-015  A11= 3.42589e-018
第13面
K =-5.13813e+000  A 4= 4.50964e-007  A 6= 2.25218e-010 
A 8= 4.11312e-013  A10=-3.08241e-016  A12= 3.68859e-019 
A 3=-2.16177e-006  A 5=-1.51586e-008  A 7= 1.33753e-011 
A 9=-8.03246e-015  A11=-7.86993e-018
各種データ
ズーム比     14.00
広角     中間     望遠
焦点距離       4.50    18.00    63.00 
Fナンバー      1.90     1.90     2.80
画角          50.71    16.99     4.99 
像高           5.50     5.50     5.50 
レンズ全長   315.62   315.62   315.62 
BF             7.87     7.87     7.87 
d20            0.47    32.40    44.53 
d29           41.78     6.84     8.37 
d32           11.70    14.71     1.05 
d53            7.87     7.87     7.87 
入射瞳位置    30.96    52.80   100.16 
射出瞳位置   530.40   530.40   530.40 
前側主点位置  35.50    71.42   170.76 
後側主点位置   3.37   -10.13   -55.13 
ズームレンズ群データ
群  始面    焦点距離  レンズ構成長  前側主点位置  後側主点位置
1    1      26.51       102.05        43.10         37.63
2   21     -17.40        17.61         1.01        -13.67
3   30     -46.00         2.99        -0.43         -2.11
4   33      58.44       131.14        64.20       -120.74
〈数値実施例５〉
面番号      r         d        nd        vd       θgF     有効径   焦点距離
1      486.69927   2.50000  1.772500   49.50    0.5519     80.813    -44.356
2       32.08268  14.15722  1.000000    0.00    0.0000     57.274      0.000
3      105.66868   1.80000  1.772500   49.50    0.5519     57.016   -152.975
4       55.49575  12.46193  1.000000    0.00    0.0000     54.223      0.000
5     -104.03647   1.70000  1.772500   49.50    0.5519     53.919    -90.190
6      215.55101   0.15000  1.000000    0.00    0.0000     54.912      0.000
7       84.86324   6.55795  1.805150   25.50    0.6156     56.420    142.061
8      309.30491   2.75068  1.000000    0.00    0.0000     56.196      0.000
9      730.68935   8.89448  1.603112   60.64    0.5414     56.223    108.660
10      -71.96994   4.28199  1.000000    0.00    0.0000     56.159      0.000
11      259.59685  10.73594  1.438750   94.93    0.5343     55.047    103.074
12      -54.23724   1.60000  1.654115   39.70    0.5737     55.430   -133.065
13     -144.18395   0.15000  1.000000    0.00    0.0000     57.781      0.000
14      126.26210   1.60000  2.003300   28.27    0.5980     60.412   -130.774
15       64.19421  13.62859  1.438750   94.93    0.5343     60.139    104.334
16     -150.52449   0.15000  1.000000    0.00    0.0000     61.264      0.000
17      152.05686  13.43460  1.496999   81.54    0.5374     63.644     95.407
18      -67.16450   0.15000  1.000000    0.00    0.0000     63.821      0.000
19       81.91815   5.41585  1.850000   55.00    0.5569     57.880    141.751  （正レンズLｐ）
20      245.86337    (可変)  1.000000    0.00    0.0000     56.842      0.000
21       24.95114   0.75000  1.882997   40.76    0.5667     20.942    -30.293
22       12.76248   3.89727  1.000000    0.00    0.0000     18.077      0.000
23      317.63481   0.75000  1.834000   37.16    0.5775     17.859    -37.323
24       28.48347   3.18334  1.000000    0.00    0.0000     17.006      0.000
25      -36.01067   5.29212  1.784723   25.68    0.6161     16.741     16.891
26      -10.38696   0.80000  1.882997   40.76    0.5667     16.841    -13.104
27     -100.12513   0.13706  1.000000    0.00    0.0000     17.689      0.000
28       41.22087   2.72491  1.592701   35.31    0.5933     17.966     48.473
29      -94.54745    (可変)  1.000000    0.00    0.0000     18.128      0.000
30      -26.53023   0.75000  1.740999   52.64    0.5467     18.593    -23.826
31       54.14364   2.22553  1.808095   22.76    0.6307     20.086     50.637
32     -171.61701    (可変)  1.000000    0.00    0.0000     20.485      0.000
33        0.00000   1.40000  1.000000    0.00    0.0000     28.025      0.000
34     -984.08568   2.91652  1.720000   43.69    0.5699     28.879     87.549
35      -59.61712   0.15000  1.000000    0.00    0.0000     29.335      0.000
36       75.08487   4.47984  1.639999   60.08    0.5370     30.376     61.451
37      -81.33519   0.22000  1.000000    0.00    0.0000     30.395      0.000
38       59.39834   6.47760  1.516330   64.14    0.5352     29.595     48.047
39      -41.27722   1.00000  1.882997   40.76    0.5667     28.953    -35.679
40      137.95346  34.00000  1.000000    0.00    0.0000     28.501      0.000
41       76.66524   5.07860  1.567322   42.80    0.5730     28.103     54.556
42      -51.13015   0.30000  1.000000    0.00    0.0000     27.840      0.000
43    -3608.91675   1.00000  1.882997   40.76    0.5667     26.536    -23.592
44       21.07819   6.52005  1.516330   64.14    0.5352     24.998     36.453
45     -162.91776   0.20000  1.000000    0.00    0.0000     24.940      0.000
46       32.85171   8.41908  1.516330   64.14    0.5352     24.925     28.875
47      -25.07959   1.00000  1.882997   40.76    0.5667     24.388    -20.745
48       70.74062   0.87964  1.000000    0.00    0.0000     24.746      0.000
49       44.25353   6.89878  1.516330   64.14    0.5352     25.522     37.240
50      -32.40548   4.00000  1.000000    0.00    0.0000     25.717      0.000
51        0.00000  33.00000  1.608590   46.44    0.5664     40.000      0.000
52        0.00000  13.20000  1.516800   64.17    0.5347     40.000      0.000
53        0.00000   0.00000  1.000000    0.00    0.0000     40.000      0.000
非球面データ
第1面
K = 1.22038e+002  A 4= 2.71139e-006  A 6=-3.21073e-010 
A 8=-2.42200e-013  A10=-1.29881e-016  A12= 2.48719e-020 
A 3=-3.70412e-006  A 5=-3.51925e-008  A 7= 9.35258e-012 
A 9= 1.25667e-014  A11=-2.70198e-018
第10面
K = 1.14923e+000  A 4= 8.06806e-007  A 6=-3.48287e-010 
A 8=-5.64507e-013  A10= 1.02273e-015  A12=-5.78420e-019 
A 3= 2.08215e-006  A 5= 2.80588e-008  A 7=-5.82131e-012 
A 9=-4.04782e-015  A11= 4.17152e-018
第13面
K =-5.66333e+000  A 4= 3.05690e-007  A 6= 2.15293e-010 
A 8= 4.62704e-013  A10=-3.08289e-016  A12= 3.78135e-019 
A 3=-1.88385e-006  A 5=-1.31773e-008  A 7= 1.27772e-011 
A 9=-7.64235e-015  A11=-8.48693e-018
各種データ
ズーム比     14.00
広角     中間     望遠
焦点距離       4.50    18.00    63.00 
Fナンバー      1.90     1.90     2.80
画角          50.71    16.99     4.99 
像高           5.50     5.50     5.50 
レンズ全長   315.73   315.73   315.73 
BF             7.90     7.90     7.90 
d20            0.46    32.39    44.52 
d29           41.90     6.96     8.49 
d32           11.70    14.71     1.05 
d53            7.90     7.90     7.90 
入射瞳位置    31.00    52.83   100.12 
射出瞳位置   522.54   522.54   522.54 
前側主点位置  35.53    71.46   170.84 
後側主点位置   3.40   -10.10   -55.10 
ズームレンズ群データ
群  始面    焦点距離  レンズ構成長  前側主点位置  後側主点位置
1    1      26.51       102.12        43.14         37.58
2   21     -17.40        17.53         0.97        -13.51
3   30     -46.00         2.98        -0.39         -2.06
4   33      58.48       131.14        64.33       -120.81
以上、本発明の好ましい実施例について説明したが、本発明はこれらの実施例に限定されないことは云うまでもなく、その要旨の範囲内で種々の変形及び変更が可能である。
【００５０】
【表１】
2014016508.tif 000006
【符号の説明】
【００５１】
Ｆ    第１レンズ群
１ａ  前方部分系
１ｂ  移動部分系
１ｃ  後方部分系
Ｖ    第２レンズ群
Ｃ    第３レンズ群
ＳＰ  絞り
Ｒ    第４レンズ群
Ｐ    ガラスブロック
Ｉ    撮像面
ｅ    ｅ線
ｇ    ｇ線
Ｃ    Ｃ線
Ｓ    サジタル像面
Ｍ    メリディオナル像面
【図１】
2014016508.tif 000008
【図２】
2014016508.tif 000009
【図３】
2014016508.tif 000010
【図４】
2014016508.tif 000011
【図５】
2014016508.tif 000012
【図６】
2014016508.tif 000013
【図７】
2014016508.tif 000014
【図８】
2014016508.tif 000015
【図９】
2014016508.tif 000016
【図１０】
2014016508.tif 000017
【図１１】
2014016508.tif 000018
【図１２】
2014016508.tif 000019